Podtech/llm-jp-corpus-v4-ja_patent huggingface dataset:
(57)【要約】      （修正有）【課題】椅子の脚を取り外しや折り畳み可能にして、座椅子としても使用できる椅子を提供する。【解決手段】１は椅子の背もたれ部分であり、２は座る為の底部（尻を乗せる）である。そして３は椅子の脚である。４は底部にある脱着可能な脚を取り付ける接合部の凹部であり５は底部に脚を取り付ける脱着可能な脚の接合部の凸部である。なお、４と５の接合部はねじ込み式や折り畳み式など、どの様な方式でも良い。【選択図】図１
2017213432.tif 000002
【特許請求の範囲】
【請求項１】
椅子の脚を取り外しや折り畳み可能にして、座椅子としても使用できるようにした椅子。
【発明の詳細な説明】
【技術分野】
【０００１】
本発明は椅子及び座椅子に関する。
【背景技術】
【０００２】
現在、多種多様な座椅子及び普通の脚の付いた椅子（以降、ただ単に椅子と表現する）が出回っている。
【０００３】
座椅子は畳の上ばかりでなく絨毯等の上でも使われていている。絨毯等の上では椅子も使われている。
【先行技術文献】
【特許文献】
【０００４】
特開2017-042451
【非特許文献】
【０００５】
【発明の概要】
【発明が解決しようとする課題】
【０００６】
座椅子はくつろいだり、テレビを見たりするには適しているが、食事や仕事の時などには使うことは通常無い。
【課題を解決するための手段】
【０００７】
日常的に使う椅子の足を無くせる様にしておけば、狭い部屋でテーブルと椅子があって、座椅子を置くスペースが無い場合でも座椅子として使用出来、くつろいでテレビを見たりする場合に座椅子としても使用可能になる。また、着脱自在等の脚にしておけば、脚の種類を幾つか用意しておくことにより、高さを子供用、大人用、ごく短い脚の付いた楽々座椅子用等と変えることが出来る。
【発明の効果】
【０００８】
座椅子を置くスぺースのない狭い部屋でも、椅子を座椅子に変える事によって、座椅子や楽々座椅子が使えるようになる。
また、特殊な装置、例えば温熱装置やマッサージ装置を備えたものなら、座椅子、楽々座椅子等にもその機能、又はその機能の一部が使えるようになる。
【図面の簡単な説明】
【０００９】
【図１】本発明による足の脱着可能の椅子の説明図である。
【図２】本発明による椅子の足を取り外した状態の説明図である。
【発明を実施するための形態】
【００１０】
以下本発明装置の実施の形態を図１〜図２に基づいて説明する。
【００１１】
各図において１は椅子の背もたれ部分であり、２は座る為の底部（尻を乗せる）である。そして３は椅子の脚である。４は底部にある脱着可能な脚を取り付ける接合部の凹部であり５は底部に脚を取り付ける脱着可能な脚の接合部の凸部である。なお、４と５の接合部はねじ込み式や折り畳み式など、どの様な方式でも良い。
【実施例１】
【００１２】
椅子の脚を取り外し可能にして、座椅子として使用できるようにしたものである。
【００１３】
【産業上の利用可能性】
【００１４】
【符号の説明】
【００１５】
１は椅子の背もたれ部分
２は椅子の底部（尻を乗せる部分）
３は椅子の脚
４は脱着可能な脚を取り付ける底部にある凹部
５は底部に脚を取り付ける為に必要な脱着可能な脚の接合部の凸部
【図１】
2017213432.tif 000003
【図２】
2017213432.tif 000004
(57)【要約】      （修正有）【課題】健康管理のために、治療器具を下着の裏面ポケットに挿入して使用する。【解決手段】アルミニウム盤の一方面に磁石を固着し、片方面に銅金網４を固着し、此れに左右上下等間隔で多数接着合体８してなる鉛玉７を固着したアルミニウム盤を内面側中央にて折曲して構成した磁気治療器具。【選択図】図２
2017213325.tif 000002
【特許請求の範囲】
【請求項１】
アルミニウム盤の一方面に磁石を固着し、片方面に銅金網を固着し、此れに左右上下等間隔で多数接着合体してなる鉛玉を固着したアルミニウム盤を、内面側中央に折曲して構成した磁気治療器具。
【発明の詳細な説明】
【技術分野】
【０００１】本発明は健康管理を保持しようとするに、磁気を用いる事に関する【０００２】糖尿病からくる腰痛に於いて養生するに、血液の流れを良くする事に関する。【０００３】血の巡りが滞って頭痛をともなう肩こりに於いて血行を良くし、ストレス及び姿勢を改善する事に関する。
【背景技術】
【０００４】糖尿病に於いてカロリー食事制限と万歩運動対策で対応している。【０００５】病院に於いては、糖尿病用薬およびインスリン注射にて血糖コントロールをしている。【０００６】入浴やマッサージを上手利用して仕事・姿勢・ストレスが原因の肩こりに対応し、心身のリラックス効果をなしている。【０００７】磁気を利用する健康器は多々あり一例として磁気ネックレスがある。
【先行技術文献】
【０００８】考案の名称  磁気ネックレス  登録３１９６５０８
考案の名称  内ポケット内蔵下着  登録３１９６５８３
発明の名称  磁気治療器具出願番号２０１６−１４８８６
【発明の概要】
【発明が解決しようとする課題】
【０００９】本発明治療器具は、前記考案の内ポケット内蔵下着に係るポケット図示３ヶ所に挿入内蔵する。男性用である。【００１０】女性用下着シャツの裏面下端にポケット３ヶ所設けて挿入に内蔵する。【００１１】以って本発明治療器を使用する特徴は直接治療器具を人体に充てるのではなく下着を介入するものである。【００１２】アルミニュウム盤で磁性体を内部に固着する。磁力が鉛の間隙を透過する事を目的とする。【００１３】且つ、アルミニュウム盤を貫通して人体の動脈・静脈のヘモグロビンに刺激を与える事を目的とする。
【課題を解決するための手段】
【００１４】一実施例を示すと、本発明に関する磁石は、ネオジュウム磁石である。厚さ０．８ｍｍであり巾１６、５ｍｍであり長さ２５ｍｍである。【００１５】磁力は１２０ｍｍテスラである。【００１６】肉厚０、１ｍｍの銅金網４０メッシュで巾１６、５ｍｍであり、長さ２５ｍｍである。【００１７】図示の鉛玉は０、５ｍｍである。これを直径３ｍｍの内型に封入固定する。高さは０．５ｍｍである。型と粘着に依り、構成する。尚、型は左右上下に等間隔を有する。【００１８】アルミニウム盤は肉厚０、１ｍｍであり長さ３３ｍｍ‐巾４０ｍｍである。【００１９】本発明の構成を図面に基づいて説明する。
アルミニウム盤１の内面中央が折曲２−２する。
一方面に磁石３を接着固定する。
片方面に銅金網４を固定する。【００２０】上５１−下５２及び左６１−右６２に等間隔構成を透孔型を用いて鉛玉７を銅金網４に接着固定する。透孔は直径３ｍｍであり、鉛玉７を多数接着合体８して銅金網４に固定する。高さは０，５ｍｍである。【００２１】尚、製造方法に於いて銅金網に両面接着フィルムを固着し、鉛玉を塗布して構成なる。【００２２】アルミニウム盤１を折曲２１‐２２して構成する。【００２３】糊付アルミニウムテープ巾８ｍｍを用いてアルミニウム盤の周辺９１‐９２‐９３を圧着糊付け固定し、一個の本発明治療器具をなる。【００２４】治療器具は磁力１２０ｍｍテスラである。【００２５】治療器具は肉厚２ｍｍである。
【図面の簡単な説明】
【００２６】
【図１】本発明の構成を示す展開図。
【図２】銅金網に鉛玉を多数接着合体し固定した図。
【図３】アルミニウム盤折曲した図。
【図４】本発明と関係する内ポケット内蔵下着の一例図。
【発明を実施するための形態】
【００２７】内ポケット内蔵下着１０のポケット１１１１１２１１３に内部受納する。
【００２８】磁力１２０ｍｍテスラ面Ａを人体面側とする。
【００２９】前記これは、磁力１２０ｍｍテスラの磁力エネルギーを人体血管の内部にあるヘモグロビンの鉄分に刺激を与える。
【００３０】ヘモグロビンの鉄分から帰還する一部の磁力エネルギーを多数の鉛玉が遮る。
【００３１】周辺に空間１２を有し、鉛玉を多数接着合体８した故に、磁力エネルギーに強弱の遊びを生死する。
【００３２】鉛自体は、磁力を殆ど通過しない。
【００３３】前記使用中に於いてもアルミニウム盤Ａ全体の磁力は１２０ｍｍテスラである。
【００３４】銅金網は抗菌性を有する。
【００３５】アルミニウム盤Ａ面に於いて鉛玉の凸凹形状が現出しない。
【００３６】この様に構成した磁気治療器具は、磁力振動により血管内のヘモグロビンの鉄分を刺激伝導する効果を有する。
【００３７】人体血の巡りを良くする故に心身リラックス効果が生まれる。
【発明の効果】
【００３８】睡眠時、血流の震えが小動作となり短くなり少なくなる。
【符号の説明】
【００３９】１  アルミニウム盤
３  ネオジウム磁石
４  銅金網
７  鉛玉
８  鉛玉を多数接着合体
９  内ポケット内蔵下着
【図１】
2017213325.tif 000003
【図２】
2017213325.tif 000004
【図３】
2017213325.tif 000005
【図４】
2017213325.tif 000006
(57)【要約】      （修正有）【課題】本発明は、歯科治療に使用する小器具ファイル（又はリーマー）（リーマーとファイルはほぼ同じもの）が治療中に歯の内で破折した際、それを除去するために磁力を用いた歯科用マグネット式破折ファイル除去器具を提供する。【解決手段】円柱状のマグネット（１）の中心に０．５ミリほどの穴（２）をあけ、そこに専用ファイルを通して使用する。【選択図】図１
2017213329.tif 000002
【特許請求の範囲】
【請求項１】
円柱状のマグネット（１）の中心に０．５ミリほどの穴（２）をあけ、そこに専用ファイル（３）、（４）を差し込んで使う、歯科用マグネット式破折ファイル除去器具。
【請求項２】
ファイルの先端の断面をＩ型または三日月形にした、歯科用マグネット式破折ファイル除去器具専用ファイル。
【発明の詳細な説明】
【技術分野】
【０００１】  本発明は、歯科治療に使用する小器具ファイル（又はリーマー）（リーマーとファイルはほぼ同じもの）が治療中に歯の内で破折した際、それを除去するために磁力を用いた歯科用マグネット式破折ファイル除去器具に関するものである。
【背景技術】
【０００２】  従来、ファイル破折片を除去するには、別のファイルによって掻き取るか、水流と超音波振動によって洗い流す方法が主であった。
【発明の概要】
【発明が解決しようとする課題】
【０００３】  従来の方法は次のような欠点があった。
（イ）破折片は細い金属の針状の物なので、なかなか掻き取ることができなかった。
（ロ）水流と超音波振動による洗浄も、効果としては非常に弱い。
（ハ）除去できたとしても水流とともに口腔内に落ちて誤飲する可能性がある。
本発明は、以上のような欠点をなくすためになされたものである。
【課題を解決するための手段】
【０００４】  円柱状のマグネット（１）の中心に０．５ミリほどの穴（２）をあけ、そこに専用ファ  イル（３）（４）を通して使用する。
本発明は、以上の構成よりなる歯科用マグネット式破折ファイル除去器具である。
【発明の効果】
【０００５】  （イ）従来の除去法に加え磁力を用いることで、破折片の除去成功率が上がる。
（ロ）除去できた破折片はマグネットに付着するので、除去できたか確認できるのと同        時に、口腔内に落ちて誤飲する可能性が激減する。
（ハ）従来の器具も流用できるので、汎用性に富み、経済的である。
【図面の簡単な説明】
【０００６】
【図１】  本発明の断面図である。
【図２】  本発明の専用手用ファイル使用時の断面図である。
【図３】  本発明の専用手用ファイルの先端と破折ファイルの拡大図である。
【図４】  本発明の専用超音波洗浄器用ファイル使用時の断面図である。
【図５】  本発明の専用超音波洗浄器用ファイルの先端拡大図である。
【図６】  本発明の専用超音波洗浄器用ファイルの断面と破折ファイルである。
【発明の実施をするための形態】
【０００７】以下、発明の実施をするための形態について説明する。
円柱状のマグネット（１）の中心に０．５ミリほどの穴（２）をあける。
その穴と垂直に、ファイル固定用のネジ（８）を設ける。
本発明のマグネット部分は、以上のような構造である。
専用手用ファイル（３）は反復回転運動をさせるので、その先端の断面をＩ状にする  ことで、従来のファイルのような円状の断面よりも破折ファイルとの接触面積が広くな  り、より磁力の効果が発揮できるのと、反復回転運動をした時に破折片に引っ掛かり除  去しやすくなる。
超音波洗浄器（５）に装着する専用ファイル（４）は、その先端をシャベル状にする  ことで、破折ファイルとの接触面積を広くすることができ、食い込んだ破折ファイル（  ７）を除去しやすくする。
本発明の専用ファイルの先端の形状は以上である。
本発明を使用するときは、円柱状のマグネット（１）の中心の穴（２）に専用ファイル（３）（４）を挿入して使用する。
【符号の説明】
【０００８】    １  円柱状のマグネット
２  ファイルを通す０．５ミリほどの穴
３  専用手用ファイル
４  専用超音波洗浄器用ファイル
５  超音波洗浄器
６  歯根
７  破折ファイル
８  ファイル固定用ネジ
【図１】
2017213329.tif 000003
【図２】
2017213329.tif 000004
【図３】
2017213329.tif 000005
【図４】
2017213329.tif 000006
【図５】
2017213329.tif 000007
【図６】
2017213329.tif 000008
(57)【要約】      （修正有）【課題】部分床義歯の維持装置の維持力を測定するために、簡易型維持力測定装置（医療用ペンチ型荷重計）を提供する【解決手段】矯正用バンドリムービング器具１の先端部のチップがついていない側（負荷点）２を機械加工し、コーティング処理を行った後、ひずみゲージ３を２個貼付し、シリコンゴムでカバーを行い、口径１．８ケーブル５をゲージ端子から握り部に溶接で固定する。出力感度は約２０００μｇ／１ｋｇｆとする。計測機器本体のスイッチ６を入れて、ひずみゲージ式変換器７を用いて電圧で検出される物理量を計測する。平坦のチップがついている先端を維持歯咬合面に垂直にあてて、維持腕に負荷点をあてて、ハンドル部を開くことにより、モニター表示部８に維持力の数値を表示させ、歯に装着された部分床義歯の維持装置の維持力の数値化を行うシステムとする。【選択図】図１
2017213330.tif 000002
【特許請求の範囲】
【請求項１】
矯正用バンドリムービング器具（１）の先端部のチップがついていない側（負荷点）を機械加工（２）し、歪みゲージ（３）を貼付し、シリコンゴムでカバー（４）をして、部分床義歯の維持力を測定可能にした点
【発明の詳細な説明】
【技術分野】
【０００１】  この発明は、部分床義歯装着患者が使用している部分床義歯の維持装置の維持力の測定に関するものである。
【背景技術】
【０００２】  従来、口腔内で部分床義歯の維持力を測定する簡易的な維持力測定装置は存在しなかった。
【先行技術文献】
【特許文献】
【０００３】
【特許文献１】
【発明の概要】
【発明が解決しようとする課題】
【０００４】  部分床義歯の設計を行うにあたり、今日では部分床義歯の支持、把持、維持の３構成要素に分けて、義歯の設計が行われている。しかしながら、不適切な維持装置、義歯の設計により、次のようなことが生じていた。
（イ）  鉤歯に装着した部分床義歯の維持装置の過度の維持力が鉤歯の動揺をもたらし、      最終的に保存不可能により抜歯にいたる症例が認められる。
（ロ）  患者による部分床義歯が外れてしまうとの訴えに、プライヤーを用いて維持装置      の適切な維持力を無視し、過度に締めて維持装置が着脱時に引き倒し作用と釘抜き      作用が生じて支台歯に負担をかけ、抜歯鉗子様の作用をきたしてしまうケースが認      められる。
不適切な部分床義歯の使用により、人体の一部である天然歯を喪失してしまうことは、早急に避けなければならない問題であるといえる。
本発明は、以上のような欠点をなくすためになされたものである。
【課題を解決するための手段】
【０００５】  部分床義歯の維持装置の維持力を測定するために、簡易型維持力測定装置（医療用ペンチ型荷重計）は、歯科矯正用バンドリムービングプライヤー先端部を機械加工処理し、チップがついていない側にコーティング処理を行い、ひずみゲージを貼付し、ゲージ端子からハンドル部に溶接固定して製作する。維持歯に装着された維持装置のアンダーカット領域の維持腕下腕部に簡易型維持力測定装置（医療用ペンチ型荷重計）のひずみゲージを貼付した短い側をあてがい、平坦のチップがついている先端を維持歯咬合面に垂直にあてて、ハンドル部を開くことにより、計測装置のモニター表示部に維持力の数値を表示させ、離脱にかかるひずみ量を測定できるように設計する。
本発明は、以上の構成よりなる維持力測定装置である。
【発明の効果】
【０００６】  実際の部分床義歯の維持装置の維持力がどの程度発揮されているかを測定できる装置は現在、存在しないため、チェアサイドで簡便に対応できる維持力測定装置の使用は、今後の歯科医療にとっても極めて重要であり、部分床義歯装着患者のクオリティオブライフを向上させるために、部分床義歯で快適に生活を行うために適切な設計に基づき、歯に過度の負担がかからない維持力の部分床義歯を装着して患者の口腔管理を行っていくことは極めて有意義である。
【図面の簡単な説明】
【０００７】
【図１】  本発明の正面図である。
【図２】  本発明の維持力測定機器の平面図である。
【発明を実施するための形態】
【０００８】  以下、本発明を実施するための形態について説明する。
矯正用バンドリムービング器具（１）の先端部のチップがついていない側（負荷点）を機械加工（２）し、コーティング処理を行った後、ひずみゲージを２個貼付（３）し、シリコンゴムでカバー（４）を行い、口径１．８ケーブル（５）をゲージ端子から握り部に溶接で固定する。出力感度は約２０００μｇ／１ｋｇｆとする。計測機器本体のスイッチ（６）を入れて、ひずみゲージ式変換器（７）を用いて電圧で検出される物理量を計測する。平坦のチップがついている先端を維持歯咬合面に垂直にあてて、維持腕に負荷点をあてて、ハンドル部を開くことにより、モニター表示部（８）に維持力の数値を表示させ、歯に装着された部分床義歯の維持装置の維持力の数値化を行うシステムとする。
【符号の説明】
【０００９】１  維持力測定装置（医療用ペンチ型荷重計）
２  先端部のチップがついていない側（負荷点）
３  歪みゲージ
４  シリコンゴムカバー
５  口径１．８ケーブル
６  スイッチ（ＯＮ，ＯＦＦ）
７  計測装置本体
８  モニター表示部
【図１】
2017213330.tif 000003
【図２】
2017213330.tif 000004
(57)【要約】【課題】  コンパクトに構成した転動式のマッサージマッサージ器具を提供することにある。【解決手段】  本発明の転動式のマッサージ器具は絡み合う繊維から構成されたフエルト製の表面を備えた弾力性を有する球体と、半球状の第一のガイドと、前記球面の一部が切取られた第二ガイド球面体と、前記球体を囲むように前記第一のガイド球面体と第二のガイド球面体の端面どうしを結合し、前記球体を転動自在に支持することを特徴とする。【選択図】図１
2017213324.tif 000002
【特許請求の範囲】
【請求項１】
絡み合う繊維から構成されたフエルト製の表面を備えた弾力性を有する球体と、半球状の第一のガイドと、前記球面の一部が切取られた第二ガイド球面体と、前記球体を囲むように前記第一のガイド球面体と第二のガイド球面体の端面どうしを結合し、前記球体を転動自在に支持するマッサージ器とから構成し、前記球体の一部が第二のガイド球面体の切り欠き部から露出し、身体の局部に接触可能としたことを特徴とする転動式のマッサージ器具。
【請求項２】
前記球状はフエルト製の表面を備えたテニスボールであることを特徴とする請求項１記載の転動式のマッサージ器具。
【発明の詳細な説明】
【技術分野】
【技術分野】
【０００１】  本発明は、マッサージ器具に関し、更に詳しくは転動する球体を備えたマッサージ器具に関するものである。
【背景技術】
【０００２】  従来、この種マッサージ器具としては、例えば特開平１１−５６９４６のマッサージ具に開示されるように電気的エネルギーや動力を使用せず、２つの弾力性を利用し空気圧の調整によりマッサージの強弱を自在調整しつつマッサージすることができるものである。また、特開２００３−１１１１８０９に示すマッサージ器具は、廃硬式テニスボールを袋体の内部に複数挿入し、袋体中に各廃硬式テニスボールを固定させるべく、各硬式テニスボールの前後及び各硬式テニスボール間を袋体の外部より係留部材によって係止し、袋体を身体に装着して各廃硬式テニスボールを身体に圧接させるものが開示されている。さらに、特開２０１５−４２２３５は、頭の重みでマッサージ器がずれたり、ボールとボールの間隔を途中で変えてマッサージする部位を変えることができるマッサージ器である。
【先行技術文献】
【特許文献】
【０００３】
【特許文献１】特開平１１−５６９４６
【特許文献２】特開２００６−１０２４３９
【特許文献３】特開２０１５−４２２３５
【発明の概要】
【発明が解決しようとする課題】
【０００４】  従来のマッサージ器具は袋内に２個のテニスボールを収納し、または袋内にいれたテニスボールを連結した使用するものであり、使い方は、局部にこれらのテニスボールを当てがい、体を押し当ててしようするものであった。そのため、一々必要とする患部にテニスボールを移動する必要があった。本発明は、疲労を感じる筋肉に押し当てて転がすことによってマッサージすることができ、テニスボールが回転することにより、筋肉の周囲を移動することができるマッサージ器具を提供することにある。しかるに従来例の場合は、球体の転がりをこの球体に外装したカバー状の転がり防止体で防止するものであるから、手のひらで押すマッサージ効果を得る為に球体の径を大きく選定すると、必然的に転がり防止体が大きくなるのを避けられないという不利益があった。【０００５】  本発明は、このような従来品の問題点に鑑み提案されたものである。従って本発明の技術的課題は、一人でマッサージでき、又使用時に身体から遠くに転がり出ることを防止できると共に、更にはコンパクトに形成した転動式のマッサージマッサージ器具を提供することにある。
【課題を解決するための手段】
【０００６】  本発明の転動式のマッサージ器具は、絡み合う繊維から構成されたフエルト製の表面を備えた弾力性を有する球体と、半球状の第一のガイドと、前記球面の一部が切取られた第二ガイド球面体と、前記球体を囲むように前記第一のガイド球面体と第二のガイド球面体の端面どうしを結合し、前記球体を転動自在に支持するマッサージ器とから構成し、前記球体の一部が第二のガイド球面体の切り欠き部から露出し、身体の局部に接触可能としたことを特徴とする。ここで弾力性を有する球体１は、身近なものとしてテニスボールを用いてもよい。なお、球体は中空形の球体でも、中実体としてもよい。
【発明の効果】
【０００７】  転動式のマッサージ器具は、非常にシンプルな構成なため取り扱いが容易で、故障もなく誰もが片手で容易に使いこなすことができる。また、介助者にマッサージ器具を操作してもらい全身マッサージを行なってもらうこともできる。
【図面の簡単な説明】
【０００８】
【図１】は図２のマッサージ器具のＸ−Ｘ断面で、本発明のマッサージ器具の断面図を示す。
【図２】は、本発明のマッサージ器具の平面図を示す。
【発明を実施するための形態】
【実施例】
【０００９】  以下、本発明の実施の形態を添付図面に従って説明する。
１０は、本発明のマッサージ器具で、１は絡み合う繊維から構成されたフエルト製の表面１ａ備えた弾力性を有する球体である。なお、球体１は中空形の球体でも、中実体としてもよい。なお、中空形の球体は単純にテニスボールを代用してもよい。２は、球体１の一側を支持する半球状の第一のガイド２ａと、球体１の一部が露出され第一のガイド球面体２ａに固定された第二ガイド球面体２ｂ、第一のガイド球面体２ａ、第二のガイド球面体２ｂの間で球体１を転動自在に支持する。なお、第一のガイド球面体２ａ、第二のガイド球面体２ｂの接合は、一般的な技術で、かぎ型の機械的接合、接着材など一般的な技術で達成される。
球体１は、人体の患部を滑動し、自体の弾性力でマッサージを押圧して患部を揉みほぐす機能を有する。本例ではマッサージ器具は、絡み合う繊維から構成されたフエルト製の素材を用いているが、フェルト以外の摩擦力を発生するゴム製、プラスチック製、各種繊維を用いることができる。また、第一のガイド球面体２ａ及び第二のガイド球面体２ｂは、木やプラスチック、アルミニュウむなどの金属板で形成してもよい。
【産業上の利用可能性】
【００１０】  本発明の転動式のマッサージ器具は、絡み合う繊維から構成されたフエルト製の素材を用いているが、フェルト以外の摩擦力を発生するゴム製、プラスチック製、各種繊維を用いることができる。
と、半球状の第一のガイドと、前記球面の一部が切取られた第二ガイド球面体と、前記球体を囲むように前記第一のガイド球面体と第二のガイド球面体の端面どうしを結合し、前記球体を転動自在に支持する
【符号の説明】
【００１１】    １    中空形の球体
１ａ  フエルト製の表面
２ａ  第一のガイド球面体
２ｂ  第二のガイド球面体
３    係合部
１０  マッサージ器具
【図１】
2017213324.tif 000003
【図２】
2017213324.tif 000004
(57)【要約】【課題】従来の歯ブラシは歯ブラシの根元部分を毛の長さと直角方向に動かして歯を磨いていたので、歯と歯茎の間及び臼歯の噛み合わせ部分の溝は毛の動きが少なく歯垢の除去が不充分であった。先行技術のＺ形及びＵ形つつき磨き歯ブラシは歯垢の除去は充分であったが歯を一本ずつ磨くので時間がかかった。【解決手段】歯ブラシの軸のほぼ中央に回転軸を設け、歯ブラシの軸の端に溝を設けこの溝に偏心カムを入れこのカムをモータの中心軸に取り付け、モータを回転させることにより歯ブラシの毛の先端に長手方向の振動を加えて磨く、Ｆ形つつき磨き歯ブラシである。【選択図】図２
2017213323.tif 000002
【特許請求の範囲】
【請求項１】
歯ブラシ軸の長手方向のほぼ中心に回転軸を設け、又歯ブラシ軸の長手方向で歯ブラシの毛の反対側の端に溝を設け、その溝に合わせ偏心カムを入れ、カムをモータ軸に取り付け、モータを回転させることにより、歯ブラシの毛の先端を毛の長手方向に振動させて、歯をつつき磨きする、つつき磨き歯ブラシであります。
【発明の詳細な説明】
【技術分野】
【０００１】この発明は歯と歯茎の間及び臼歯の噛み合わせ面の溝などの歯垢を速く除去する歯ブラシである。
【背景技術】
【０００２】従来の歯ブラシは歯ブラシの毛の根元部分を主に毛の長さと直角方向に動かして歯を磨いていたので、歯と歯茎の間及び臼歯の溝は歯ブラシの毛の動きが少なく歯垢の除去が不充分であった。先行技術による歯ブラシは歯垢の除去は充分であったが歯を一本ずつ磨くので歯全部を磨くのに時間がかかった。
【先行技術文献】
【出願特許文献】
【０００３】
【出願特許文献１】
受付番号  １１３０１９１０００１
【出願特許文献２】
受付番号  １１３０１９１０００２
【発明の概要】
【発明が解決しようとする課題】
【０００４】歯と歯茎の間及び臼歯の溝の歯垢等の除去を速く充分に行うと共に歯槽膿漏を予防する
【課題を解決するための手段】
【０００５】歯ブラシ軸の長手方向のほぼ中心に回転軸を設け、又歯ブラシ軸の長手方向で歯ブラシの毛の反対方向に溝を設け、その溝に合わせ、外形は円形で中心を偏心させた、偏心カムをモータの回転軸に取り付け、モータを回転させることにより、歯ブラシの毛の先端を毛の長手方向に振動させて、つつき磨きする、つつき磨き歯ブラシである。
【発明の効果】
【０００６】旧来からある一般的な歯ブラシに、本発明の毛の長手方向のつつき振動を加えることにより、歯に当たる部分の毛の動きを大きくして、今迄落としにくかった、歯の表面の凹んだ部分、歯と歯茎の間の深い所、臼歯の溝の歯垢等を、つつき落とすことが出来ます。又歯茎をつつくことにより、歯茎の血行を良くして歯槽膿漏の予防にもなります。
【図面の簡単な説明】
【０００７】
【図１】正面図
【図２】側面断面図
【図３】Ａ−Ａ断面拡大図
【発明を実施するための形態】
【０００８】以下図１〜図３について説明する。
図２、において、歯ブラシの軸２の長手方向ほぼ中央に回転軸４を設け握り手５に回転するように固定し、又歯ブラシ軸２の長手方向で歯ブラシの毛１の反対側に溝７を設け、その溝７に合わせ外形は円形で中心を偏心させたカム６を入れ、そのカムの偏心軸に握り手５に固定したモータ８の軸を取り付けて構成するつつき磨き歯ブラシであり、モータを回転させることにより、歯ブラシの毛に長手方向の振動を加えて磨く、つつき磨き歯ブラシである。
【図１】
2017213323.tif 000003
【図２】
2017213323.tif 000004
【図３】
2017213323.tif 000005
(57)【要約】【課題】ゴルフパターの練習をするとき、頭の動きを抑えるための、壁付けゴルフパター練習器具を提供する。【解決手段】角度調整可能な（２）の頭座本体、回転可能な（１）の頭座を設けた、脱着プレート（６）を上下可能なスライドプレート（７）とともに、（１３）の本体プレートにセットした、高さと、角度調整のできる壁付けゴルフパター練習器具を特徴とする。【選択図】図１３
2017213331.tif 000002
【特許請求の範囲】
【請求項１】
壁面、柱などの動かない物体に取り付けた本体プレート（１３）の中を上下する、スライドプレート（７）に、回転する（１）の頭座、（４）による角度調整可能な頭座本体（２）の組み込まれた、脱着プレート（６）を装着させた、壁付けゴルフパター練習器具。
【発明の詳細な説明】
【技術分野】
【０００１】この発明は、高さ調整、角度調整可能な、頭座が回転する壁付けゴルフパター練習器具に関するものである。
【背景技術】
【０００２】従来、ゴルフパターの練習器具は、直接ゴルフボールを打つことがほとんどであった。
【先行技術文献】
【特許文献】
【０００３】
【特許文献１】
【発明の概要】
【発明が解決しようとする課題】
【０００４】これは、次のような欠点があった。
従来、ゴルフパター練習器具はゴルフボールを真っすぐ打ち出すためのものだが、真っすぐ打ち出すために、頭の動きを抑えることが重要なのだが、なかなか抑えることができなかった。本発明は、以上のような欠点をなくすためになされたものである。
【課題を解決するための手段】
【０００５】（２）の頭座本体に、回転可能な（１）頭座、（４）の角度調整軸を組み込み、蝶板にて（６）の脱着プレートに取り付ける。壁面に取り付けられた（１３）の本体プレートの中の、スライドプレート（７）に、脱着プレート（６）として、蝶ねじで固定する。
本発明は、以上の構成よりなる壁付けゴルフパター練習器具である。
【発明の効果】
【０００６】高さと、角度を細かく調整し、その場で頭の回転が可能なので、頭を動かさず、ボールを真っすぐ打ち出すことが体感できる。
【図面の簡単な説明】
【０００７】
【図１】  本発明の側面図である。
【図２】  本発明の上面図である。
【図３】  本発明の下面図である。
【図４】  本発明の側面断面図である。
【図５】  本発明の角度調整図である。
【図６】  本発明の本体プレート正面図である。
【図７】  本発明のスライドプレート正面図である。
【図８】  本発明の脱着プレート正面図である。
【図９】  本発明の頭座本体、頭座回転ローラー正面図である。
【図１０】  本発明の頭座、正面図である。
【図１１】  本発明の脱着プレート側面、脱着図である。
【図１２】  本発明の脱着プレート側面、脱図である。
【図１３】  本発明の使用例図である。
【発明を実施するための形態】
【０００８】以下、本発明を実施するための形態について説明する。
（２）の本体プレート中央に貫通した（３）の頭座軸パイプに、頭座（１）中央の頭座軸を貫通させ、（１５）のスプリングを適度に利かせ（１６）のスプリング固定金具にて固定する。以上のようにして組みあがった器を、（４）の角度調整軸、（８）の蝶板にて脱着プレート（６）に取り付ける。この器を壁面に取り付けた、本体プレート（１３）の中を上下可能なスライドプレート（７）にセット、脱着プレート固定蝶ねじ（１１）で締め付ける。本発明は、以上のような構造である。
これを使用するときは、使用人の身長、構え、壁面からの距離、などを考慮のうえ本器具の高さ、角度を決定、（１２）の高さ固定蝶ねじ、（１０）の角度蝶ねじにて固定する。使用しないときは、高さ、角度を保ったまま（６）の脱着プレートごと取り外し可能である。これによって、（１）の頭座に軽く押し付けた頭の、上下、左右の動きが抑えられる。（１）の頭座を回転させることで首への負担を防いでいる。本器具の練習では頭の動を抑えた正確なストロークを体感することができる。
【符号の説明】
【０００９】１  頭座
２  頭座本体
３  頭座パイプ
４  角度調整軸
５  角度固定金具
６  脱着プレート
７  スライドプレート
８  蝶板
９  蝶ねじ穴
１０  角度蝶ねじ
１１  脱着プレート固定蝶ねじ
１２  高さ固定蝶ねじ
１３  本体プレート
１４  頭座軸
１５  スプリング
１６  スプリング固定金具
１７  頭座クッションシート
１８  頭座回転ローラー
１９  垂直器
２０  角度調整軸収納口
２１  壁面固定ビス穴
２２  上溝
２３  下溝
２４  上つめ
２５  下つめ
【図１】
2017213331.tif 000003
【図２】
2017213331.tif 000004
【図３】
2017213331.tif 000005
【図４】
2017213331.tif 000006
【図５】
2017213331.tif 000007
【図６】
2017213331.tif 000008
【図７】
2017213331.tif 000009
【図８】
2017213331.tif 000010
【図９】
2017213331.tif 000011
【図１０】
2017213331.tif 000012
【図１１】
2017213331.tif 000013
【図１２】
2017213331.tif 000014
【図１３】
2017213331.tif 000015
(57)【要約】【課題】車椅子を使用していた人が足の回復が良くなってきた時、歩行器でリハビリしたくても、足が不安定ですので、看助者が歩行器に移動させて看視のもとに歩く練習をしていた。【解決手段】車椅子（１）に連結手摺（２）で歩行器（３）を取付け、車椅子と歩行器を一体化させることを特徴とする。【選択図】図１
2017213333.tif 000002
【特許請求の範囲】
【請求項１】
車椅子と歩行器を一体化させた歩行器付車椅子
【発明の詳細な説明】
【技術分野】
【０００１】この発明は車椅子に歩行器を取付け一体化したものである。
【背景技術】
【０００２】従来、車椅子と歩行器は単独のものであった。
【先行技術文献】
【特許文献】
【０００３】従来の車椅子は歩行できない人が使用していた。又歩行器は、歩行不安定の人が自力で歩行可能にするためのリハビリとして使用していた。
【発明の概要】
【発明が解決しようとする課題】
【０００４】これは次のような欠点があった。
（１）車椅子を使用していた人が回復が進んできた時、介護者が歩行器に移動させて、看視のもとに歩く練習をさせねばならなかった。
（２）足が不安定なので自力で歩行器に移動できないので、介護者とリハビリの予定時間を設定して歩行練習をするので、１日に何回も練習できない。
本発明は、以上のような欠点をなくすために、考案したものである。
【課題を解決する為の手段】
【０００５】車椅子（１）に連結手摺（２）で歩行器（３）を取付一体化するものである。
本発明は以上の構成による歩行器付車椅子である。
【発明の効果】
【０００６】歩行器が車椅子と一体となっているので、歩行練習をしようと思えば、いつでも自力で車椅子から手摺を伝い、歩行器に移動でき、リハビリすることが出来る。又、歩行器と車椅子の間は歩行可能なだけの狭いスペースにしているので、身体が不安定になった時、疲れた時は、すぐに車椅子に座ることができ、安全である。
本発明は以上の構成により、自力でいつでも安全に足のリハビリが出来るのである。
【発明を考案した理由】
【０００７】私の友人（高齢者）が、転倒して大腿骨を骨折し、手術をして、歩行器でリハビリ、少し歩けるようになりました。退院の勧告を受け、一人暮らしでしたので、老人ホームで車椅子の生活。リハビリがなかったので、足の筋肉が弱り、自力で立ち上がることすら、出来なくなっていました。その老人ホームには、車椅子の方が半数以上居ました。皆様高齢者なので、私の友人と同じ状態だと思われた。私はこの時、看助者なしで一人で歩行器でリハビリ出来ないかと考え、歩行器付車椅子では転倒しないでいつでも自力で足のリハビリが出来ると思い、多くの人が車椅子生活から、歩けることが出来て日常生活に復帰できるのではと考案しました。
【図面の簡単な説明】
【０００８】
【図１】本発明の斜視図である。
【図２】本発明の連結手摺片側出入口開閉斜視図
【発明を実施するための形態】
【０００９】以下、本発明を実施するための形態について説明する。
車椅子（１）に連結手摺（２）で歩行器を取付け、車椅子と歩行器とを一体化する。本発明は、以上の構造である車椅子から手摺を伝って歩行器に自力で安全に移動でき、リハビリすることが出来る。
【符号の説明】
【００１０】１  車椅子
２  連結手摺
３  歩行器
【図１】
2017213333.tif 000003
【図２】
2017213333.tif 000004
(57)【要約】【課題】割りばしを使う際、箸が均等に割れやすく、残った部分が箸置きとなる「箸置き付割りばし」を提供する【解決手段】割りばしの箸頭側に横方向に切り込みを入れる。使用する際に、横方向の切り込み部分を折ることにより、箸と箸置きとに分かれることを特徴とする。【選択図】図１
2017213332.tif 000002
【特許請求の範囲】
【請求項１】
割りばしの箸頭側に横方向に切り込みを入れる。
使用する際に、横方向の切り込み部分を折ることにより、箸と箸置きとに分かれる。
以上の構造からなる箸置き付き割りばし。
【発明の詳細な説明】
【技術分野】
【０００１】この発明は、割りばしの箸頭付近に横方向に切り込みを入れる事により、箸と箸置きに分けることのできる「箸置き付き割りばし」に関するものである。
【背景技術】
【０００２】従来、割り箸は、裂け目を中心に２つに割る構造になっていた。
【発明の開示】
【発明が解決しようとする課題】
【０００３】割りばしを割る際に、箸の形が不均等になってしまうことがあり、使用中に手を止めた際、「箸置き」を別途用意する必要があった。
【課題を解決するための手段】
【０００４】割りばしの箸頭付近に横方向の切れ込みをいれる。
【発明の効果】割りばしの箸頭付近に入れた横方向の切れ込み部分を中心に箸を折ることにより、均等な形の箸になる。残った部分は箸置きとして用いる事ができる。
【図面の簡単な説明】
【０００５】
【図１】斜面図
【図２】使用図
【図１】
2017213332.tif 000003
【図２】
2017213332.tif 000004
(57)【要約】      （修正有）【課題】誰もが思うままの角度に正しい位置にソールすることが出来るパターヘッドを提供する。【解決手段】パターヘッドは断面がハート形でアドレスしたときシャフトの角度（ライ角）が自分の思うままにアドレスでき、傾斜グリーンに於いてもボールの中心にセットしやすい。アドレスしたときパターヘッドが左右に長い為、打ち出し方向に正しくセット出来、真っ直ぐストロークし易い。引っ掛け押し出し、ショートがなくなり、ボールの中心にパターヘッドの中心でヒットしやすい。打球面がハート形なので重心が下部にありボールの転がりが良くなりパッテイングの成績が向上する。【選択図】なし【特許請求の範囲】
【請求項１】
ゴルフクラブパターヘッドの打球面及び断面をハート形にしたものである。アドレスした状態でシャフトと地面のライ角が人によって異なってもヘッドとボールの位置は変わらなく、ボールの中心とパターヘッドの心を合わせてヒットすることが容易である。
【請求項２】
これまでのパターの形状の常識を外れた左右に長い形状である。打球面がハート形なのでユニークさもあるが、重心を下部にしボールをヒットした時ボールの転がりをよくしたものである。又ボールにソールした時打ち出し方向を線で容易に合せることが出来るのが特長である。
【請求項３】
シャフト位置を中心に左右対象となっており、打球面が左右にあり、打球面にそれぞれ２種の異なる反発材質板をセットし、速い遅いグリーンでの又上り下りのラインでの使いわけができるのが特長である。
【請求項４】
パターヘッドの打球面形状はハート形であるが、パター形状はバリエーションに富んだ多種類の物が実現でき、特に女性達に爆発的人気を巻き起こすものと推察します。
【発明の詳細な説明】
【技術分野】
【０００１】この発明はゴルフクラブパターヘッドに関するもの。パターの打球面がハート形である為、アドレスしボールにソウルした時ボールの中心点とパターの中心点が合わせ易い。【０００２】パッテイングでアドレスしたとき、シャフトの角度は各人で違う。現行のパターはヘッドのライ角に合わせてアドレスしなければならないが、この発明パターは誰もが思うままの角度に正しい位置にソールすることが出来る。【０００３】現行のパターの打球面は長方形で前後に長いが、この発明パターは左右に長いので狙った方向にソウルし易く、ヘッドも打ち出し方向に真っ直ぐストロークすることが容易である。
【発明の開示】
【発明が解決しようとする課題】
【０００５】現行パーターでは芯でヒットすることがプロでもむつかしい。現行パターでは打球面が前後に長いため、ヘッドの前後の位置、角度、高さを合わせ目標方向にヒットするのがむつかしい。パターの構造上プロでもほとんどパターの芯でヒット出来ていない。パターの上っ面でヒットしているのがほとんどで気がついていない。打ち出し方向にヒットするが引っ掛け、押し出しが出やすく又ボールの転がりが悪くショートすることが多々ある。
【発明の効果】
【０００６】この発明パターは打球面がハート形の為ボールの中心にアドレスしやすく、ボールの中心をパターヘッドの中芯でヒットし易い。更に左右に長いので打ち出し方向に真っ直ぐストロークしやすい。引っ掛けや押し出しがなくなり、ボールのころがりが良くなりショートもへる。傾斜のあるグリーンにおいても、ボール芯と打球面芯がピッタリと合わせることが容易であり芯で容易にヒットできるようになる。真っ直ぐ目標方向にヘッドをストロークし易いので、方向性が向上する。反発の異なる打球面が左右２つあるので下りのラインと上りのライン等で使いわけが可能である。
【図面の簡単な説明】
【図−１】≪ハート形断面パター≫このパターはハート形打球面が左右にあり、中央にシャフトを取付左右対象になったパターヘッドである。左右の打球面にはそれぞれ異なった材質の板をセットできる。
【図−１】
2017213364.tif 000002
(57)【要約】【課題】本発明は、浸透槽においても災害時にトイレとして利用できる方法を提案する。【解決手段】本発明は、地下に設けた透水コンクリート製の浸透槽であって浸透槽への雨水等の流入口には地上部から遮断可能な弁が設けられ、かつ浸透槽上面には空気抜き配管と便座取付用配管が設けられ共に地表に開口し、災害時には前記弁を遮断し、便座取り付け用配管開口部より、遮水性袋体が挿入され、当該遮水性袋体の入り口部分は硬質な部材で形成され浸透槽内部に入る遮水性袋体の本体部分は柔軟な素材で形成され、流動物の流入に伴い膨張して糞尿貯留部となり、遮水性袋体の挿入後便座を取り付け非常用トイレとなる浸透槽である。【選択図】図２
2017136302.tif 000002
【特許請求の範囲】
【請求項１】
地下に設けた透水コンクリート製の浸透槽であって浸透槽への雨水等の流入口には地上部から遮断可能な弁が設けられ、かつ浸透槽上面には空気抜き配管と便座取付用配管が設けられ共に地表に開口し、災害時には前記弁を遮断し、便座取り付け用配管開口部より、遮水性袋体が挿入され、当該遮水性袋体の入り口部分は硬質な部材で形成され浸透槽内部に入る遮水性袋体の本体部分は柔軟な素材で形成され、流動物の流入に伴い膨張して糞尿貯留部となり、遮水性袋体の挿入後便座を取り付け非常用トイレとなる浸透槽。
【発明の詳細な説明】
【技術分野】
【０００１】
本発明は、雨水等の流出抑制用浸透コンクリート製浸透槽を災害用トイレとする技術に属する。
【背景技術】
【０００２】
帯水材を地下に複数配設しして貯留空間を形成し、その貯留空間の周囲を遮水シートで覆った貯留槽を区画して仕切りその一部を災害用のトイレとして糞尿の一時貯留とする方法が弊社より提案されている。特開2009-041204は貯留槽を仕切って使用し、特開2009-185484は人孔をトイレとして利用している。
【先行技術文献】
【特許文献】
【０００３】
【特許文献１】特開2009-041204
【特許文献２】特開2009-185484
【発明の開示】
【発明が解決しようとする課題】
【０００４】
本発明は、浸透槽においても災害時にトイレとして利用できる方法を提案する。
【課題を解決するための手段】
【０００５】
本発明は、地下に設けた透水コンクリート製の浸透槽であって浸透槽への雨水等の流入口には地上部から遮断可能な弁が設けられ、かつ浸透槽上面には空気抜き配管と便座取付用配管が設けられ共に地表に開口し、災害時には前記弁を遮断し、便座取り付け用配管開口部より、遮水性袋体が挿入され、当該遮水性袋体の入り口部分は硬質な部材で形成され浸透槽内部に入る遮水性袋体の本体部分は柔軟な素材で形成され、流動物の流入に伴い膨張して糞尿貯留部となり、遮水性袋体の挿入後便座を取り付け非常用トイレとなる浸透槽である。
【発明の効果】
【０００６】
本発明は、浸透槽を使用することにより槽内に雨水などが存在している最中でも、袋体を挿入し糞尿が袋体に貯蔵されるに従い袋体が膨張し、その圧力で浸透槽内の雨水などが地中に浸透するため使用可能となる。
弁があることでトイレと使用する際は雨水等の流入が遮断される。
【図面の簡単な説明】
【０００７】
【図１】は、本発明に使用する浸透槽の概念図である。
【図２】は、浸透槽からトイレに変わる状態を示す概念図である。
【発明を実施するための形態】
【０００８】
以下、本発明を図により詳細に説明する。
図1に示す通り、本発明に使用する浸透槽は透水性のコンクリートで構築されたものであり、雨水等の流入を遮断できる弁が設けられている。更に地上に開口した空気抜き配管と便座を取り付けるための配管が設けられている。
図では空気抜き配管は便座取付用配管に付随するように設けられているが後述する袋体の膨らむとき、浸透性コンクリート壁と袋体の間の空気が抜ける位置にあればよい。
【０００９】
図2は、上記浸透槽をトイレに変化させる手順を示している。
図２aは、袋体を槽内に挿入した状態を示している。
図２ｂは、便座を取り付けた状態を示している。
図２ｃは、トイレとしての使用時の状態を示している。
袋体はその入り口部は、流入する糞尿が配管内部に付着閉塞しないよう口径の大きな硬質な材料で形成される必要がある。
袋体の本体部である糞尿の貯留部は柔軟且つ遮水性の素材で形成され、流入量に応じて膨らまなくてはならない。
【産業上の利用可能性】
【００１０】
普段は雨水の流出抑制施設として利用可能であり、災害時にはトイレとして利用することができる。
【符号の説明】
【００１１】
１  浸透槽
２  透水コンクリート壁
３  便座取付用配管
４  空気抜き配管
５  遮水性袋体
６  弁
【図１】
2017136302.tif 000003
【図２】
2017136302.tif 000004
(57)【要約】【課題】機能が全くない針金ハンガーは衣類を襟から出し入れすると襟が伸び、襟を伸ばさないようにするため、胴から出し入れする煩わしさがあり、時間が掛かっていた欠点をなくすための衣類用ハンガーを提供する。【解決手段】針金ハンガーのフック（１）から肩部にかけて２方向に分かれている部分を、１方向にまとめたのち２方向に分ける。針金の一端はフック（１）として使用し、２本重なっている部分はねじり、もう一端はフック（１）下の垂直部に位置させる。【選択図】図１
2017136328.tif 000002
【特許請求の範囲】
【請求項１】
針金ハンガーのフック（１）から肩部にかけて２方向に分かれている部分を、１方向にまとめたのち２方向に分けた衣類用ハンガー。
【発明の詳細な説明】
【技術分野】
【０００１】  この発明は、洗濯物を干す時・外す時に使う針金ハンガーに関するものである。
【背景技術】
【０００２】  針金ハンガーは安価だが、機能が少ない。
【先行技術文献】
【実用新案文献１】
実用新案登録第３１１２２９６号（Ｕ３１１２２９６）
【発明の概要】
【発明が解決しようとする課題】
【０００３】  そのため次のような欠点があった。
（イ）  機能が全くない針金ハンガーは、衣類を襟から出し入れすると襟が伸びる。
（ロ）  （イ）の影響により、襟を伸ばさないようにするため、胴から出し入れする煩わしさがあり、時間が掛かっている。
（ハ）  （ハ）の影響により、濡れた洗濯物を持つ時間が長いと、手が荒れる原因となる。
（ニ）  先行技術文献のものは、Ｔシャツのみ対応していた。
（ホ）  先行技術文献のものは、間違えて反対からＴシャツを入れてしまうと針金の端でＴシャツを引っ掛けて破る可能性がある。
（ヘ）  先行技術文献のものは、従来からある針金ハンガーと針金の端の仕上げ位置が違うので針金の端で手に怪我をしてしまう可能性がある。
本発明は、以上のような欠点をなくすためになされたものである。
【課題を解決するための手段】
【０００４】  針金ハンガーのフックから肩部にかけて２方向に分かれている部分を、１方向にまとめたのち２方向に分ける。針金の一端はフックとして使用し、２本重なっている部分はねじり、もう一端はフック下の垂直部に位置させる。
本発明は、以上を特徴とする衣類用ハンガーである。
【発明の効果】
【０００５】  （ト）  針金ハンガーを衣類の襟から出し入れしても襟が伸びない。
（チ）  襟から出し入れ出来るため、これまでの煩わしさがない。
（リ）  濡れた洗濯物に触れる時間が短くなるので、手荒れの影響が小さくなる。
（ヌ）  軽い衣類以外にも使用可能。
【図面の簡単な説明】
【０００６】
【図１】  本発明の正面図
【図２】  本発明の使用状態を示す正面図
【発明を実施するための形態】
【０００７】  以下、本考案を実施するための形態について説明する。
針金ハンガーのフック（１）から肩部にかけて２方向に分かれている部分を、１方向にまとめたのち２方向に分ける。針金の一端はフック（１）として使用し、２本重なっている部分はねじり、もう一端はフック（１）下の垂直部に位置させる。
本考案は、以上のような構造である。
これを使用し衣類を取付ける時は、フックのついてない肩（２）を衣類（３）の襟（４）にいっぱいまで通し、もう一方のハンガーの肩（５）を入れる。これを使用し衣類を取外す時は、フックのついてない肩（２）を衣類（３）の襟（４）にいっぱいまで通し、もう一方のハンガーの肩（５）から抜く。
【符号の説明】
【０００８】１  フック
２  フックのついていない肩
３  衣類
４  襟
５  ハンガーの肩
【図１】
2017136328.tif 000003
【図２】
2017136328.tif 000004